(57)【要約】【課題】被梱包物を十分に支持し、かつ、外部からの力を受けた際に当該被梱包物が変形および損傷することを十分に防止できる支持部材を提供する。【解決手段】支持部材１００は、被梱包物が第一上縁１ａに載置可能に立つ平板状の第一支持部１と、被梱包物が第二上縁に載置可能に立つ平板状の第二支持部２と、被梱包物が第三上縁に載置可能に立つ平板状の第三支持部３と、を備える。第一支持部１の水平方向一端と水平方向他端との間には、第二支持部の水平方向一端と水平方向他端との間が接続され、第一上縁１ａと第二上縁２ａとは交差する。第三支持部３の水平方向一端は、第二支持部２の水平方向一端に連続して接続され、第三上縁３ａは、第二上縁２ａに連続する。第三上縁３ａが沿う方向は、第二上縁２ａが沿う方向と異なる。【選択図】図２
2018165169.tif 000002
【特許請求の範囲】
【請求項１】
被梱包物が上縁に載置可能に立つ平板状の第一板部と、
被梱包物が上縁に載置可能に立つ平板状の第二板部と、
被梱包物が上縁に載置可能に立つ平板状の第三板部と、
を備え、
前記第一板部の水平方向一端と水平方向他端との間には、前記第二板部の水平方向一端と水平方向他端との間が接続され、
前記第一板部の上縁と前記第二板部の上縁とは交差し、
前記第三板部の水平方向一端は、前記第二板部の水平方向一端に連続して接続され、
前記第三板部の上縁は、前記第二板部の上縁に連続し、
前記第三板部の上縁が沿う方向は、前記第二板部の上縁が沿う方向と異なる支持部材。
【請求項２】
前記第一板部の上縁と前記第二板部の上縁と前記第三板部の上縁との少なくとも一部に切欠きが形成されている請求項１に記載の支持部材。
【請求項３】
前記第二板部の上縁と前記第三板部の上縁との境界に切欠きが形成されている請求項２に記載の支持部材。
【請求項４】
前記第一板部と前記第二板部と前記第三板部との少なくとも一部に、貫通孔が形成されている請求項１から請求項３の何れか１項に記載の支持部材。
【請求項５】
前記第一板部、前記第二板部および前記第三板部は、１枚のダンボールシートによって一体に形成されている請求項１から請求項４の何れか１項に記載の支持部材。
【請求項６】
被梱包物が上縁に載置可能に立つ平板状の第四板部と、
被梱包物が上縁に載置可能に立つ平板状の第五板部と、
を更に備え、
前記第四板部の水平方向一端と水平方向他端との間には、前記第五板部の水平方向一端と水平方向他端との間が接続され、
前記第四板部の上縁と前記第五板部の上縁とは交差し、
前記第五板部の水平方向一端は、前記第三板部の水平方向他端に連続して接続され、
前記第五板部の上縁は、前記第三板部の上縁に連続し、
前記第五板部の上縁が沿う方向は、前記第三板部の上縁が沿う方向と異なる請求項１から請求項４の何れか１項に記載の支持部材。
【請求項７】
前記第一板部、前記第二板部、前記第三板部、前記第四板部および前記第五板部は、１枚のダンボールシートによって一体に形成されている請求項６に記載の支持部材。
【請求項８】
請求項１から請求項７の何れか１項に記載の支持部材と、
前記支持部材とは別体に形成され、前記支持部材を収容する外箱と、
を備える梱包装置。
【発明の詳細な説明】
【技術分野】
【０００１】
本発明は、被梱包物を支持する支持部材およびこれを備えた梱包装置に関するものである。
【背景技術】
【０００２】
特許文献１に、ダンボールから形成される梱包材が記載されている。この梱包材は、内部に被梱包物を収容し、且つ、当該被梱包物を保護する緩衝材としても機能するものである。
【先行技術文献】
【特許文献】
【０００３】
【特許文献１】特開平８−２３０８６６号公報
【発明の概要】
【発明が解決しようとする課題】
【０００４】
特許文献１に記載された梱包材に収容される被梱包物は、板状の部材の端部に載置される。特許文献１において被梱包物が載置されるこの端部は、一直線状である。一直線状の端部は、例えば、重い被梱包物を十分に支持することが難しい。また、特許文献１に記載された梱包材は、板状の部材の一直線状の端部によって被梱包物を支持するために、例えば、自由落下時等に発生する衝撃を十分に吸収することができない。特許文献１に記載された梱包材は、外部からの力を受けた際に被梱包物が変形および損傷することを十分に防止することができない。
【０００５】
本発明は、上記のような課題を解決するためになされたものである。本発明の目的は、被梱包物を十分に支持し、かつ、外部からの力を受けた際に当該被梱包物が変形および損傷することを十分に防止できる支持部材およびこの支持部材を備えた梱包装置を提供することである。
【課題を解決するための手段】
【０００６】
本発明に係る支持部材は、被梱包物が上縁に載置可能に立つ平板状の第一板部と、被梱包物が上縁に載置可能に立つ平板状の第二板部と、被梱包物が上縁に載置可能に立つ平板状の第三板部と、を備える。第一板部の水平方向一端と水平方向他端との間には、第二板部の水平方向一端と水平方向他端との間が接続され、第一板部の上縁と第二板部の上縁とは交差する。第三板部の水平方向一端は、第二板部の水平方向一端に連続して接続され、第三板部の上縁は、第二板部の上縁に連続する。第三板部の上縁が沿う方向は、第二板部の上縁が沿う方向と異なる。
【０００７】
また、本発明に係る梱包装置は、上記の支持部材とは別体に形成され、上記の支持部材を収容する外箱を備える。
【発明の効果】
【０００８】
本発明に係る支持部材および梱包装置は、被梱包物を十分に支持し、かつ、外部からの力を受けた際に被梱包物が変形および損傷することを防止できる。
【図面の簡単な説明】
【０００９】
【図１】実施の形態１の支持部材の展開平面図である。
【図２】実施の形態１の支持部材の斜視図である。
【図３】実施の形態１の支持部材の正面図である。
【図４】実施の形態１の支持部材を備えた梱包装置を示す正面イメージ図である。
【図５】実施の形態２の支持部材の展開平面図である。
【図６】実施の形態２の支持部材の斜視図である。
【図７】実施の形態２の支持部材の正面図である。
【図８】実施の形態２の支持部材を備えた梱包装置を示す正面イメージ図である。
【発明を実施するための形態】
【００１０】
以下、添付の図面を参照して、実施の形態について説明する。各図における同一の符号は、同一の部分または相当する部分を示す。本開示では、重複する説明については、適宜に簡略化または省略する。なお、本開示は、以下の各実施の形態で説明する構成のうち、組み合わせ可能な構成のあらゆる組み合わせを含み得るものである。
【００１１】
実施の形態１．
図１は、実施の形態１の支持部材１００の展開平面図である。図２は、実施の形態１の支持部材１００の斜視図である。図３は、実施の形態１の支持部材１００の正面図である。図４は、支持部材１００を備えた梱包装置２００を示す正面イメージ図である。図１から図４を参照し、本実施の形態の支持部材１００およびこの支持部材１００を備えた梱包装置２００について説明する。
【００１２】
便宜上、以下のように方向を定義して実施の形態を説明する。図２における前後方向および左右方向を、当該図２中に示す。図２において、この前後方向および左右方向に直交する方向を上下方向とする。また、図３および図４における紙面上の左右方向を、本実施の形態の上下方向とする。図３および図４における紙面上の上方向を、本実施の形態の右方向とする。図３および図４における紙面上の下方向を、本実施の形態の左方向とする。
【００１３】
本実施の形態の支持部材１００の全体形状は、図１から図４に示すように、前後方向および左右方向に対称な形状となっている。以下では、原則として、支持部材１００の右側半分について説明する。
【００１４】
支持部材１００は、例えば、一枚のダンボールシート等の板紙によって一体形成される。本実施の形態の支持部材１００は、図１の平面展開図に示すように加工された板紙が折り曲げられることで形成される。また、本実施の形態の梱包装置２００は、図４に示すように、被梱包物３００を支持する支持部材１００を収容する外箱２０１を備えるものである。この外箱２０１は、例えば、ダンボールシート等によって支持部材１００とは別体に形成される。
【００１５】
板紙から形成される支持部材１００には、各種の平板状の部位が含まれる。図１から図４に示すように、支持部材１００は、第一支持部１、第二支持部２および第三支持部３を備える。第一支持部１、第二支持部２および第三支持部３は、平板状である。また、支持部材１００は、底面部１０を備える。底面部１０は、平板状である。底面部１０は、支持部材１００を収容する外箱２０１の底面２０２に対向する。梱包装置２００が水平面に置かれた状態において、底面部１０は当該水平面と平行に配置される。
【００１６】
図２から図４に示すように、第一支持部１は、底面部１０に対して立っている。一例として、第一支持部１は、底面部１０に対して直立する。第一支持部１は、当該第一支持部１の上側の縁である第一上縁１ａに被梱包物３００が載置可能に形成される。本実施の形態において第一上縁１ａは、前後方向に沿う。第一上縁１ａは、図１に示すように、板紙に切れ線を加工することで形成される。第一支持部１は、被梱包物３００が載置可能に立つ平板状の第一板部の一例である。
【００１７】
また、本実施の形態において第一支持部１は、支持部材１００の右側部分と左側部分とに１つずつ対称に形成されている。支持部材１００は、左右対称に配置された１対の第一支持部１を備えている。
【００１８】
図２から図４に示すように、第一支持部１の上には、前方支持部１１ａが形成される。前方支持部１１ａは、平板状である。前方支持部１１ａは、第一支持部１に一体的に連続する。一例として、前方支持部１１ａは、底面部１０に対して直立している。前方支持部１１ａは、被梱包物３００が収容される空間の外枠を形成する。また、本実施の形態において前方支持部１１ａは、図４に示すように、被梱包物３００を前方から囲う。前方支持部１１ａは、被梱包物３００を前方から支える。前方支持部１１ａは、後方の縁が被梱包物３００に対向するように形成される。
【００１９】
本実施の形態において前方支持部１１ａは、支持部材１００の右側部分と左側部分とに１つずつ対称に形成されている。支持部材１００は、左右対称に配置された１対の前方支持部１１ａを備えている。
【００２０】
図１に示すように、第一支持部１と底面部１０との境界には、折り曲げ罫線１ｃが形成される。第一支持部１および前方支持部１１ａは、この折り曲げ罫線１ｃを支点として板紙が曲げられることによって、底面部１０に対して立ち上がる。本実施の形態において折り曲げ罫線１ｃは前後方向に沿っている。
【００２１】
支持部材１００が備える第二支持部２は、図２から図４に示すように、第一支持部１と同様、底面部１０に対して立っている。一例として、第二支持部２は、底面部１０に対して直立する。第二支持部２は、当該第二支持部２の上側の縁である第二上縁２ａに被梱包物３００が載置可能に形成される。本実施の形態において第二上縁２ａは、左右方向に沿う。第二上縁２ａは、図１に示すように、板紙に切れ線を加工することで形成される。第二支持部２は、被梱包物３００が載置可能に立つ平板状の第二板部の一例である。
【００２２】
第一支持部１と第二支持部２とは互いに重なり合うように交差している。第一支持部１の前端と後端との間には、第二支持部２の左端と右端との間が接続される。すなわち、第一支持部１の水平方向一端と水平方向他端との間には、第二支持部２の水平方向一端と水平方向他端との間が接続される。
【００２３】
第一上縁１ａと第二上縁２ａとは交差する。一例として、第一上縁１ａと第二上縁２ａとは直交する。第一上縁１ａと第二上縁２ａとは、被梱包物３００を下方から支持する十字状の支持部を形成している。
【００２４】
本実施の形態において第二支持部２は、支持部材１００の右側部分と左側部分とに１つずつ対称に形成されている。支持部材１００は、左右対称に配置された１対の第二支持部２を備えている。
【００２５】
第一支持部１には、当該第一支持部１に第二支持部２を接続するための挿込部１ｂが形成される。また、第二支持部２には、当該第二支持部２に第一支持部１を接続するための挿込部２ｂが形成される。挿込部１ｂおよび挿込部２ｂは、例えば、板紙に抜き加工をすることで形成される切れ込みである。挿込部１ｂおよび挿込部２ｂは、第一支持部１と第二支持部２とが互いに噛み合うように形成される。
【００２６】
支持部材１００が備える第三支持部３は、図２から図４に示すように、第一支持部１および第二支持部２と同様、底面部１０に対して立っている。一例として、第三支持部３は、底面部１０に対して直立する。第三支持部３は、当該第三支持部３の上側の縁である第三上縁３ａに被梱包物３００が載置可能に形成される。本実施の形態において第三上縁３ａは、前後方向に沿う。本実施の形態において第三支持部３は、第一支持部１に対して平行である。また、第三上縁３ａは、第一上縁１ａに対して平行である。第三上縁３ａは、図１に示すように、板紙に切れ線を加工することで形成される。第三支持部３は、被梱包物３００が載置可能に立つ平板状の第三板部の一例である。
【００２７】
第三支持部３は、第二支持部２に一体的に連続する。第三支持部３の前端は、第二支持部２の左端に連続して接続される。すなわち、第三支持部３の水平方向一端は、第二支持部２の水平方向一端に連続して接続される。
【００２８】
第三上縁３ａは、第二上縁２ａに連続する。第三上縁３ａの前端は、第二上縁２ａの左端に接続される。上述のように、第二上縁２ａは、左右方向に沿う。また、第三上縁３ａは、前端方向に沿う。第三上縁３ａが沿う方向は、一例として、第二上縁２ａが沿う方向に直交している。すなわち、第三上縁３ａが沿う方向は、第二上縁２ａが沿う方向と異なっている。第二上縁２ａと第三上縁３ａとは、被梱包物３００を下方から支持するＬ字状の支持部を形成している。
【００２９】
本実施の形態において第三支持部３は、支持部材１００の右側部分と左側部分とに１つずつ対称に形成されている。支持部材１００は、左右対称に配置された１対の第三支持部３を備えている。
【００３０】
図１に示すように、第二支持部２と底面部１０との境界には、切れ線が形成される。また、図１に示すように、第二支持部２に一体的に連続する第三支持部３と底面部１０との境界には、折り曲げ罫線３ｃが形成される。第二支持部２および第三支持部３は、この折り曲げ罫線３ｃを支点として板紙が曲げられることによって、底面部１０に対して立ち上がる。本実施の形態において折り曲げ罫線３ｃは、折り曲げ罫線１ｃに対して平行に形成される。折り曲げ罫線３ｃは、前後方向に沿っている。
【００３１】
また、第二支持部２と第三支持部３との境界には、折り曲げ罫線２ｃが形成される。折り曲げ罫線２ｃの一端は、折り曲げ罫線３ｃの前端に接続される。また、折り曲げ罫線２ｃの他端は、第二支持部２と底面部１０との境界の切れ線に接続される。
【００３２】
立ち上げられた第二支持部２は、この折り曲げ罫線２ｃを支点として、第三支持部３に対して曲げられる。これにより、第二上縁２ａは、左右方向に沿う。また、上述したように、被梱包物３００を下方から支持するＬ字状の支持部が形成される。本実施の形態において折り曲げ罫線２ｃは、第二支持部２の水平方向一端と第三支持部３の水平方向一端とを形成する。
【００３３】
曲げられた第二支持部２の挿込部２ｂは、第一支持部１の挿込部１ｂに噛み合わされる。このようにして、第一支持部１に対して第二支持部２が挿し込まれる。本実施の形態であれば、被梱包物３００を下方から支持するＬ字状の支持部が、より確実に自立した状態で保持される。
【００３４】
さらに、本実施の形態の支持部材１００は、第四支持部４および第五支持部５を備える。第四支持部４および第五支持部５は、平板状である。図２から図４に示すように、第四支持部４および第五支持部５は、底面部１０に対して立っている。一例として、第四支持部４および第五支持部５は、底面部１０に対して直立する。
【００３５】
第四支持部４は、第一支持部１と同様に形成される部位である。第四支持部４は、第一支持部１に対して前後方向対称に配置および形成される。本実施の形態において第一支持部１は、支持部材１００の前側部分に形成される。第四支持部４は、支持部材１００の後側部分に形成される。
【００３６】
また、第五支持部５は、第二支持部２と同様に形成される部位である。第五支持部５は、第二支持部２に対して前後方向対称に配置および形成される。本実施の形態において第二支持部２は、支持部材１００の前側部分に形成される。第五支持部５は、支持部材１００の後側部分に形成される。
【００３７】
第四支持部４は、当該第四支持部４の上側の縁である第四上縁４ａに被梱包物３００が載置可能に形成される。本実施の形態において第四上縁４ａは、前後方向に沿う。第四支持部４は、第三支持部３に対して平行に配置される。第四上縁４ａは、第三上縁３ａに平行である。また、本実施の形態において第四上縁４ａは、第一上縁１ａと同一直線状に配置される。第四上縁４ａは、図１に示すように、板紙に切れ線を加工することで形成される。第四支持部４は、被梱包物３００が載置可能に立つ平板状の第四板部の一例である。
【００３８】
第五支持部５は、当該第五支持部５の上側の縁である第五上縁５ａに被梱包物３００が載置可能に形成される。本実施の形態において第五上縁５ａは、左右方向に沿う。第五上縁５ａは、第二上縁２ａに対して平行である。第五上縁５ａは、図１に示すように、板紙に切れ線を加工することで形成される。第五支持部５は、被梱包物３００が載置可能に立つ平板状の第五板部の一例である。
【００３９】
第四支持部４は、第一支持部１と同様に、支持部材１００の右側部分と左側部分とに１つずつ対称に形成されている。支持部材１００は、左右対称に配置された１対の第四支持部４を備えている。また、第五支持部５は、支持部材１００の右側部分と左側部分とに１つずつ対称に形成されている。支持部材１００は、左右対称に配置された１対の第五支持部５を備えている。
【００４０】
第四支持部４の上には、後方支持部１１ｂが形成される。後方支持部１１ｂは、平板状である。後方支持部１１ｂは、第四支持部４に一体的に連続する。一例として、後方支持部１１ｂは、底面部１０に対して直立する。後方支持部１１ｂは、被梱包物３００が収容される空間の外枠を形成する。後方支持部１１ｂは、前方支持部１１ａに対して前後方向対称に形成される。後方支持部１１ｂは、被梱包物３００を後方から囲う。後方支持部１１ｂは、被梱包物３００を後方から支える。後方支持部１１ｂは、前方の縁が被梱包物３００に対向するように形成される。
【００４１】
本実施の形態において後方支持部１１ｂは、支持部材１００の右側部分と左側部分とに１つずつ対称に形成されている。支持部材１００は、左右対称に配置された１対の後方支持部１１ｂを備えている。
【００４２】
図１に示すように、第四支持部４と底面部１０との境界には、折り曲げ罫線４ｃが形成される。第四支持部４および後方支持部１１ｂは、この折り曲げ罫線４ｃを支点として板紙が曲げられることによって、底面部１０に対して立ち上がる。本実施の形態において折り曲げ罫線４ｃは前後方向に沿っている。また、折り曲げ罫線４ｃは、一例として、折り曲げ罫線１ｃと同一直線状に並ぶ。
【００４３】
第四支持部４と第五支持部５とは互いに重なり合うように交差している。第四支持部４の前端と後端との間には、第五支持部５の左端と右端との間が接続される。すなわち、第四支持部４の水平方向一端と水平方向他端との間には、第五支持部５の水平方向一端と水平方向他端との間が接続される。
【００４４】
第四上縁４ａと第五上縁５ａとは交差する。一例として、第四上縁４ａと第五上縁５ａとは直交する。第四上縁４ａと第五上縁５ａとは、被梱包物３００を下方から支持する十字状の支持部を形成している。
【００４５】
第四支持部４には、当該第四支持部４に第五支持部５を接続するための挿込部４ｂが形成される。また、第五支持部５には、当該第五支持部５に第四支持部４を接続するための挿込部５ｂが形成される。挿込部４ｂおよび挿込部５ｂは、例えば、板紙に抜き加工をすることで形成される切れ込みである。挿込部４ｂおよび挿込部５ｂは、互いに噛み合うように形成される。
【００４６】
第五支持部５は、第三支持部３に一体的に連続する。第五支持部５の左端は、第三支持部３の後端に連続して接続される。すなわち、第五支持部５の水平方向一端は、第三支持部３の水平方向他端に連続して接続される。
【００４７】
第五上縁５ａは、第三上縁３ａに連続する。第五上縁５ａの左端は、第三上縁３ａの後端に接続される。上述のように、第五上縁５ａは、左右方向に沿う。また、第三上縁３ａは、前端方向に沿う。第五上縁５ａが沿う方向は、一例として、第三上縁３ａが沿う方向に直交している。すなわち、第五上縁５ａが沿う方向は、第五上縁５ａが沿う方向と異なっている。第五上縁５ａと第三上縁３ａとは、被梱包物３００を下方から支持するＬ字状の支持部を形成している。
【００４８】
図１に示すように、第五支持部５と底面部１０との境界には、切れ線が形成される。第三支持部３に一体的に連続する第五支持部５は、折り曲げ罫線３ｃを支点として板紙が曲げられることによって、第三支持部３とともに底面部１０に対して立ち上がる。
【００４９】
また、第五支持部５と第三支持部３との境界には、折り曲げ罫線５ｃが形成される。折り曲げ罫線５ｃの一端は、折り曲げ罫線３ｃの後端に接続される。折り曲げ罫線５ｃの他端は、第五支持部５と底面部１０との境界の切れ線に接続される。
【００５０】
立ち上げられた第五支持部５は、この折り曲げ罫線５ｃを支点として、第三支持部３に対して曲げられる。これにより、第五上縁５ａは、左右方向に沿う。また、上述したように、被梱包物３００を下方から支持するＬ字状の支持部が形成される。本実施の形態において折り曲げ罫線５ｃは、第五支持部５の水平方向一端と第三支持部３の水平方向他端とを形成する。
【００５１】
曲げられた第五支持部５の挿込部５ｂは、第四支持部４の挿込部４ｂに噛み合わされる。このようにして、第四支持部４に対して第五支持部５が挿し込まれる。本実施の形態であれば、被梱包物３００を下方から支持するＬ字状の支持部が、より確実に自立した状態で保持される。また、本実施の形態であれば、２つのＬ字状の支持部が、一体的に自立した状態で形成される。
【００５２】
また、本実施の形態の支持部材１００は、側面支持部１２および把持部１３を備える。側面支持部１２および把持部１３は、平板状である。
【００５３】
図２から図４に示すように、側面支持部１２は、底面部１０に対して立っている。一例として、側面支持部１２は、底面部１０に対して直立する。側面支持部１２は、第一支持部１、第四支持部４、前方支持部１１ａおよび後方支持部１１ｂよりも右方に形成される。側面支持部１２は、第一支持部１、第四支持部４、前方支持部１１ａおよび後方支持部１１ｂに対して平行である。側面支持部１２は、被梱包物３００が収容される空間の外枠を形成する。平板状の側面支持部１２は、被梱包物３００の側面に対向するように形成されている。
【００５４】
図１に示すように、側面支持部１２と底面部１０との境界には、折り曲げ罫線１２ａが形成される。側面支持部１２は、この折り曲げ罫線１２ａを支点として板紙が曲げられることによって、底面部１０に対して立ち上がる。本実施の形態において折り曲げ罫線１２ａは前後方向に沿っている。また、折り曲げ罫線１２ａは、折り曲げ罫線１ｃおよび折り曲げ罫線４ｃに対して平行である。折り曲げ罫線１２ａは、折り曲げ罫線１ｃおよび折り曲げ罫線４ｃよりも右方に形成される。
【００５５】
また、側面支持部１２は、支持部材１００の右側部分と左側部分とに１つずつ対称に形成されている。支持部材１００は、左右対称に配置された１対の側面支持部１２を備えている。１対の側面支持部１２は、被梱包物３００を左方および右方から囲う。
【００５６】
また、図２から図４に示すように、把持部１３は、底面部１０に対して平行である。把持部１３は、前方支持部１１ａ、後方支持部１１ｂおよび側面支持部１２の上端に接続される。
【００５７】
把持部１３と前方支持部１１ａとの境界には、折り曲げ罫線１３ａが形成される。また、把持部１３と後方支持部１１ｂとの境界には、折り曲げ罫線１３ｂが形成される。把持部１３と側面支持部１２との境界には、折り曲げ罫線１３ｃが形成される。把持部１３は、折り曲げ罫線１３ａ、折り曲げ罫線１３ｂおよび折り曲げ罫線１３ｃを支点として、直立する前方支持部１１ａ、後方支持部１１ｂおよび側面支持部１２に対して曲げられる。底面部１０に対して平行な把持部１３は、このようにして形成される。使用者は、この把持部１３により、支持部材１００を容易に外箱２０１へ出し入れすることができる。
【００５８】
上記の実施の形態の支持部材１００は、被梱包物３００が第一上縁１ａに載置可能に立つ平板状の第一支持部１を備える。また、支持部材１００は、被梱包物３００が第二上縁２ａに載置可能に立つ平板状の第二支持部２を備える。支持部材１００は、被梱包物が第三上縁３ａに載置可能に立つ平板状の第三支持部３を備える。第一支持部１の水平方向一端と水平方向他端との間には、第二支持部２の水平方向一端と水平方向他端との間が接続され、第一上縁１ａと第二上縁２ａとは交差する。これにより、被梱包物３００を下方から支持する十字状の支持部が形成される。上記の実施の形態であれば、被梱包物３００を十分に支持可能な支持部材１００が得られる。
【００５９】
また、第三支持部３の水平方向一端は、第二支持部２の水平方向一端に連続して接続され、第三上縁３ａは、第二上縁２ａに連続する。第三上縁３ａが沿う方向は、第二上縁２ａが沿う方向と異なり、Ｌ字状の支持部が形成される。例えば、被梱包物３００が載置された支持部材１００が落下した場合、下方から受ける衝撃力はＬ字状の支持部によって効果的に緩和される。Ｌ字状の支持部は、緩衝材として十分に機能する。上記の実施の形態であれば、外部からの力を受けた際に被梱包物３００が変形および損傷することを防止できる支持部材１００が得られる。
【００６０】
また、上記の実施の形態の支持部材１００は、被梱包物３００が第四上縁４ａに載置可能に立つ平板状の第四支持部４と、被梱包物３００が第五上縁５ａに載置可能に立つ平板状の第五支持部５と、を更に備える。第四支持部４の水平方向一端と水平方向他端との間には、第五支持部５の水平方向一端と水平方向他端との間が接続され、第四上縁４ａと第五上縁５ａとは交差する。上記の実施の形態の支持部材１００は、複数の十字状の支持部によって、被梱包物３００をより十分に支持することができる。
【００６１】
また、第五支持部５の水平方向一端は、第三支持部３の水平方向他端に連続して接続され、第五上縁５ａは、第三上縁３ａに連続する。第五上縁５ａが沿う方向は、第三上縁３ａが沿う方向と異なる。上記の形態であれば、２つのＬ字状の支持部が一体的に自立した状態で形成される。これにより、支持部材１００は、外部からの衝撃をより効果的に吸収することができる。また、支持部材１００は、被梱包物３００をより十分に支持することができる。
【００６２】
上記の実施の形態において、支持部材１００は、一枚のダンボールシートによって一体に形成される。上記の実施の形態の支持部材１００は。低コストで容易に製造することができる。また、支持部材１００は、自立した状態がより強く保持される。また、支持部材１００は、一体的に形成されることによって、より高い強度を有する部材となる。
【００６３】
なお、支持部材１００の材質は、上記の実施の形態で示した紙製のダンボールに限定されない。支持部材１００は、例えば、プラスチックダンボールによって形成されてもよい。また、支持部材１００は、ダンボールではない部材によって形成されてもよい。また、支持部材１００がダンボールで形成される場合には、図１に示すように、当該ダンボールの目の方向が左右方向に沿っているとよりよい。ダンボールの目の方向が左右方向に沿うことで、支持部材１００を折り曲げて組み立てることがより容易になる。
【００６４】
上記の実施の形態の梱包装置２００は、支持部材１００と外箱２０１とを備える。外箱２０１は、支持部材１００とは別体に形成される。上記の実施の形態において被梱包物３００は、別体として形成された複数の部材によって梱包される。上記の実施の形態であれば、外部からの力は、別体として形成された支持部材１００と外箱２０１とによって効果的に吸収される。また、上記の実施の形態であれば、支持部材１００と外箱２０１とに、それぞれ異なる役割をもたせることができる。使用者は、例えば、支持部材１００を緩衝材として使用し、外箱２０１を包装材として使用することができる。
【００６５】
上記の実施の形態において、被梱包物３００が載置される第一上縁１ａ、第二上縁２ａ、第三上縁３ａ、第四上縁４ａおよび第五上縁５ａは、底面部１０よりも高い位置にある。底面部１０の上方には、凸状の被梱包物３００の梱包に好適な空間が形成される。上記の実施の形態の支持部材１００は、支持部材１００に接触することが好ましくない凸部を含む製品の梱包に好適である。
【００６６】
また、支持部材１００が力を吸収する能力は、底面部１０に対して直立する第一支持部１、第二支持部２、第三支持部３、第四支持部４および第五支持部５の長さを変えることで調整可能である。第一支持部１、第二支持部２、第三支持部３、第四支持部４および第五支持部５の長さは、例えば、それぞれ異なる長さであってもよい。第一支持部１、第二支持部２、第三支持部３、第四支持部４および第五支持部５の長さを変えることで、支持部材１００と被梱包物３００との接触面積が調整される。
【００６７】
実施の形態２．
次に、実施の形態２について説明する。図５は、実施の形態２の支持部材１０１の展開平面図である。図６は、実施の形態２の支持部材１０１の斜視図である。図７は、実施の形態２の支持部材１０１の正面図である。図８は、実施の形態２の支持部材１０１を備えた梱包装置４００を示す正面イメージ図である。図５から図８を参照し、実施の形態１との相違点を中心に、実施の形態２について説明する。実施の形態１と同一または相当する部分については、同じ符号を付し、説明を簡略化または省略する。
【００６８】
本実施の形態の支持部材１０１は、基本的には実施の形態１の支持部材１００と同様に構成される。また、梱包装置４００は、支持部材１０１と外箱２０１とを備えるものである。
【００６９】
本実施の形態の支持部材１０１には、実施の形態１の支持部材１００の構成に加えて、切欠き１４が形成される。切欠き１４は、図５から図８に示すように、複数形成される。なお、切欠き１４の数は、本実施の形態で示す例に限定されず、１つであってもよい。
【００７０】
切欠き１４は、例えば、第一上縁１ａ、第二上縁２ａ、第三上縁３ａ、第四上縁４ａおよび第五上縁５ａに形成される。第一上縁１ａ、第二上縁２ａ、第三上縁３ａ、第四上縁４ａおよび第五上縁５ａに切欠きが形成されることによって、第一支持部１、第二支持部２、第三支持部３、第四支持部４および第五支持部５は、外部から力を受けた際により潰れやすくなる。本実施の形態であれば、第一支持部１、第二支持部２、第三支持部３、第四支持部４および第五支持部５は、外部からの力をより効果的に吸収することができる。本実施の形態の支持部材１０１であれば、外部から被梱包物３００へ伝わる力をより抑制することができる。これにより、外部からの力を受けた際に被梱包物３００が変形および損傷することが防止される。
【００７１】
なお、切欠き１４は、第一上縁１ａ、第二上縁２ａ、第三上縁３ａ、第四上縁４ａおよび第五上縁５ａの少なくとも一部に形成されればよい。切欠き１４の数は、被梱包物３００に応じて設定される。
【００７２】
切欠き１４は、図５から図８に示すように、第二上縁２ａと第三上縁３ａとの境界に形成されてもよい。すなわち、切欠き１４は、第二支持部２と第三支持部３とに跨るように形成されてもよい。これにより、第二支持部２と第三支持部３とは、より効果的に外部からの力を吸収することができる。同様に、切欠き１４は、第三上縁３ａと第五上縁５ａとの境界に形成されてもよい。
【００７３】
また、切欠き１４は、挿込部１ｂの上端に形成されてもよい。これにより、第一支持部１に第二支持部２を挿し込みやすくなる。すなわち、支持部材１０１は、より組み立てやすくなる。同様に、切欠き１４は、挿込部４ｂの上端に形成されてもよい。
【００７４】
さらに、本実施の形態の支持部材１０１には、実施の形態１の支持部材１００の構成に加えて、貫通孔１５が形成される。貫通孔１５は、図５から図８に示すように、複数形成される。なお、貫通孔の数は、本実施の形態で示す例に限定されず、１つであってもよい。貫通孔１５は、例えば、抜き加工によって形成される。
【００７５】
貫通孔１５は、例えば、図５から図８に示すように、第一支持部１、第三支持部３および第五支持部５に形成される。これにより、第一支持部１、第三支持部３および第五支持部５は、外部から力を受けた際により潰れやすくなる。貫通孔１５は、切欠き１４と同様に機能する。なお、貫通孔１５は、第一支持部１、第三支持部３および第五支持部５の少なくとも一部に形成されればよい。また、貫通孔１５は、第二支持部２および第四支持部４に形成されてもよい。
【００７６】
また、貫通孔１５は、図５に示すように、底面部１０と第三支持部３とに跨るように形成されてもよい。これにより、使用者は、支持部材１０１を組み立てる際、当該貫通孔１５に指等を引っ掛けることでより容易に第三支持部３を立てることができる。また、第三支持部３に跨る貫通孔１５は、第三上縁３ａに形成された切欠き１４と同様に機能する。
【００７７】
また、本実施の形態の支持部材１０１には、切れ込みである挿込部２ｂの代わりに嵌込部２ｄが形成されてもよい。嵌込部２ｄは、挿込部１ｂに噛み合うように形成される部位である。
【００７８】
本実施の形態において、第一支持部１の水平方向一端と水平方向他端との間には、第二支持部２の水平方向一端と水平方向他端との間が接続される。そして第三支持部３の水平方向一端は、第二支持部２の水平方向一端に連続して接続される。嵌込部２ｄは、第二支持部２の水平方向他端の上下方向寸法が、第二支持部２の水平方向一端の上下方向寸法よりも短くなるように形成される。また、嵌込部２ｄは、第二支持部２の水平方向他端の上下方向寸法が、第一支持部１の上下方向寸法よりも小さくなるように形成される。これにより、第一支持部１に第二支持部２を噛み合わせる作業がより容易になる。なお、図５から図８に示すように、挿込部５ｂの代わりに嵌込部５ｄが形成されてもよい。嵌込部５ｄは、嵌込部２ｄと同様に形成される部位である。
【符号の説明】
【００７９】
１  第一支持部、  １ａ  第一上縁、  １ｂ  挿込部、  １ｃ  折り曲げ罫線、  ２  第二支持部、  ２ａ  第二上縁、  ２ｂ  挿込部、  ２ｃ  折り曲げ罫線、  ２ｄ  嵌込部、  ３  第三支持部、  ３ａ  第三上縁、  ３ｃ  折り曲げ罫線、  ４  第四支持部、  ４ａ  第四上縁、  ４ｂ  挿込部、  ４ｃ  折り曲げ罫線、  ５  第五支持部、  ５ａ  第五上縁、  ５ｂ  挿込部、  ５ｃ  折り曲げ罫線、  ５ｄ  嵌込部、  １０  底面部、  １１ａ  前方支持部、  １１ｂ  後方支持部、  １２  側面支持部、  １２ａ  折り曲げ罫線、  １３  把持部、  １３ａ  折り曲げ罫線、  １３ｂ  折り曲げ罫線、  １３ｃ  折り曲げ罫線、  １４  切欠き、  １５  貫通孔、  １００  支持部材、  １０１  支持部材、  ２００  梱包装置、  ２０１  外箱、  ２０２  底面、  ３００  被梱包物、  ４００  梱包装置
【図１】
2018165169.tif 000003
【図２】
2018165169.tif 000004
【図３】
2018165169.tif 000005
【図４】
2018165169.tif 000006
【図５】
2018165169.tif 000007
【図６】
2018165169.tif 000008
【図７】
2018165169.tif 000009
【図８】
2018165169.tif 000010